(57)【要約】      （修正有）【課題】紐部材の非作動部分と障害物との間に存在する干渉のリスクを顕著に減少させる。【解決手段】底部（２）、アッパー（３）、および該アッパーを緊縛する手段を含むスポーツ用の靴（１）であって、前記アッパー緊縛用手段は留め環と、少なくとも１の紐部材と、１の線条部分（３１、３２）の固定装置（３３）と、前記線条部分の牽引用取っ手（４５）更に、前記アッパーに前記取っ手の取り外し可能な一体連結装置を含むものにおいて、収納装置が固定装置と取っ手との間に延在する線条部分を収納可能にする。【選択図】図６
0003120861.tif 000002
【実用新案登録請求の範囲】
【請求項１】
底部（２）、アッパー（３）、および該アッパーを緊縛する手段を含む靴であって、前記アッパー緊縛用手段は留め環（２０、２１、２２、２３、２４、２５、２６）と、少なくとも１の紐部材（３０）と、前記紐部材（３０）の少なくとも１の線条部分（３１、３２）の固定装置（３３）と、前記線条部分（３１、３２）の牽引用取っ手（４５）更に、前記アッパー（３）に前記取っ手（４５）の取り外し可能な一体連結装置（５３）を含むものにおいて、
収納装置（５３）が固定装置（３３）と取っ手（４５）との間に延在する線条部分（３１、３２）を収納可能にすることを特徴とするスポーツ用の靴（１）。
【請求項２】
前記取り外し可能な一体連結装置（５３）および収納装置（５３）が、単一の装置であることを特徴とする、請求項１によるスポ−ツ用の靴（１）。
【請求項３】
前記取り外し可能な一体連結装置（５３）が雄部材（６０）と雌部材（７０）とから成り、前記雄部材（６０）が前記取っ手（４５）あるいは前記アッパー（３）上に位置し、前記雌部材（７０）が前記アッパー（３）あるいは取っ手（４５）上に位置し、前記雌雄両部材の一体連結が可逆的な嵌め込みの原理に従って行われることを特徴とする、請求項１または２によるスポーツ用の靴（１）。
【請求項４】
前記雄部材（６０）が小棒部材（６１）を含むこと、および前記雌部材（７０）が開放凹部（７３）を画定する本体（７１）を含むことを特徴とする、請求項３によるスポーツ用の靴（１）。
【請求項５】
前記小棒部材（６１）が足部（６２）と頭部（６３）とを含むこと、および前記開放凹部（７３）が前記小棒部材（６１）の少なくとも一部分を受け入れるためのチャンバー（７４）に前記小棒部材（６１）を近づけるための入口（７５）を含むことを特徴とする、請求項４によるスポーツ用の靴（１）。
【請求項６】
前記取っ手（４５）が全体として弓形をした細長い本体（４６）から成ることを特徴とする、請求項１ないし５のいずれか１によるスポーツ用の靴（１）。
【請求項７】
前記取っ手（４５）が前記紐部材（３０）の２の線条部分（３１、３２）の各々に一体連結されることを特徴とする、請求項１ないし６のいずれか１によるスポーツ用の靴（１）。
【請求項８】
前記紐部材（３０）の２の線条部分（３１、３２）の結合が、前記取っ手（４５）の本体（４６）を介して行われることを特徴とする、請求項１ないし７のいずれか１によるスポーツ用の靴（１）。
【請求項９】
前記取っ手（４５）が、前記アッパー（３）の高部分（１１）内で、側方部分に一体連結されることを特徴とする、請求項１ないし８のいずれか１によるスポーツ用の靴（１）。
【請求項１０】
前記固定装置（３３）が前記アッパー（３）の小舌状部材（１５）に固定されることを特徴とする、請求項１ないし９のいずれか１によるスポーツ用の靴（１）。
【考案の詳細な説明】
【技術分野】
【０００１】
本考案は、靴（特にスポーツ靴）に関し、より特定的に言えば、スポーツ用具を保持するための靴に係わるものである。
【背景技術】
【０００２】
このような靴は、雪上サ−フ（すなわちスノーボード）、スキ−板、雪中かんじき、氷上歩行、ローラー・スケート、等々の分野で用いられる。
【考案の開示】
【考案が解決しようとする課題】
【０００３】
用途によっては  靴に柔軟性を付与しておくと有利である。
【０００４】
例えば、スノ−ボ−ドの分野では、靴が柔軟であれば歩行を容易にしたり、あるいはスノ−ボ−ドを操るときのフォ−ムを取り易くする。
【０００５】
公知のように、靴は踵部と爪先部との間で長手方向に延在する。靴は、底部と、アッパー（胴部）と、アッパ−を緊縛する手段とから成る。このアッパーは留め環と、少なくとも１本の紐部材と、この紐部材の少なくとも１の線条部分を可逆的に固定することができる固定装置と、該線条部分を引っ張るための取っ手とを含む。さらに、この靴は、該アッパー部に、該取っ手を取り外し可能に一体連結する装置を有してもよい。
このような構造により、靴の使用を容易にする。
【０００６】
実際、靴の緊縛は、２つの作用を連携させるおとによって、簡単に行われる。すなわち、一方では、取っ手によって紐部材引張力を加えることにより、また他方では該固定装置を固定位置に配置して留め環の箇所に引張力を維持させることにより行われる。もちろん、緊縛の解除、それ自体は、固定装置を非固定位置に配置することによって行うことができる。
【０００７】
緊縛後、取っ手は、歩行の妨げとならないように、あるいはスポ−ツ用具の操作の妨げとならないように、アッポアー（胴部）に一体連結される。当然の結果として、取っ手とアッパー部の分離が先行することになる。
【０００８】
取っ手をアッパーに一体連結するための先行技術としては、該取っ手を形成するために主体部に脚部を連接することを提案したものがある。この脚部は、その主体部を靴のアッパー部に係止可能にする突起である。この場合、主体部が外側にあり、かつ脚部が内側で滑動するよう、該アッパーの開口部の箇所に取っ手を位置させるだけで十分である。取っ手をアッパーの所定位置に対して押すだけで良く、それにより主体部と脚部との間に取っ手が挟持されることになる。該取っ手をアッパーに対して保持することにより、様々な生涯を伴った干渉が回避される。
【０００９】
しかしながら、固定装置を取っ手に連結する該紐部材の非滑動的な部分が時々現れることがあり、そこに障害を伴った干渉が入り込んで来る。それにより、紐部材の線条部分が緩み、突出した障害物として引っ掛かってしまう。
【００１０】
例えば、スノーボードにおいて、靴は雪中に隠れている低木の箇所を通り過ぎることがある。その場合、低木の枝が靴を擦過することがある。また、ときとして枝がアッパーと紐部材の線条部分との間に挟まることがある。そうすると、取っ手が不意に外れたり、操作の妨げになることがある。
【００１１】
本考案は、殊に、既存の技術による靴を改良することによって、この問題を解決することを目指すものである。したがって、本考案の目的の１つは、紐部材の非作動部分と障害物との間に存在する干渉のリスクを顕著に減少させること、つまり取り除くことにある。言い換えれば、本考案は、固定装置から取っ手まで延びる紐部材の部分を遮るようにすることにある。
【課題を解決するための手段】
【００１２】
この目的のために、本考案は、底部と、アッパー部と、該アッパー部を緊縛する手段とからなり、該アッパー緊縛手段は、留め環と、少なくとも１の紐部材と、該紐部材の少なくとも１の線条部分を固定する装置と、該線条部分を引っ張るための取っ手とからなる靴を提案し、この靴は更にアッパー部に該取っ手を取り外し可能に一体連結させるための装置とを有する。本考案による靴の特徴とするところは、収納装置が固定装置と取っ手との間に延在する線条部分を収納可能にすることにある。
【００１３】
このようにして、該線条部分は、収納時にアッパー部から離間する方向に緩むことはない。その結果、該紐部材の非作動部分は障害を伴って干渉状態に陥ることは殆どない。殊に、突出する障害物が、該紐部材の線条部分を引っかけることは殆どない。このことから生ずる諸々の利点のうち、アッパー部に対して取っ手の良好な保持、あるいは操作がより自由になることが挙げられる。
【００１４】
本考案のその他の特徴および利点は、本考案がどの様にして実現できるかを示す非限定的な実施態様を図示している添付の図面を参照して以下に記載する説明事項を参照することにより、さらに良く理解できよう。
【考案を実施するための最良の形態】
【００１５】
以下に記載する実施形態は、より特定的に、スノーボード用の靴に関する。しかしながら、本考案はこれ以外の他の分野のものにも応用可能である。
【実施例１】
【００１６】
図１ないし図６を参照して本考案の実施態様を説明する。
【００１７】
図１に示すように、スノーボード用の靴１は使用者の足部を受け入れるために設けられている。
【００１８】
公知の方法で、靴１は歩行用の靴底部２とアッパー（靴胴部）３とから成る。この靴１は踵部４と爪先部５との間に長手方向に延在し、また側方６と内方７との間で幅方向に延在する。
【００１９】
図示のように、アッパー３は足部を取り囲むために設けられる低部分１０と脚低部を取り囲むために設けられる高部分１１とから成る。しかしながら、このアッパーは低部分のみで構成するようにしてもよい。
【００２０】
靴１は、歩行中に足の運びを良好にし、かつスノーボードを操縦している間に脚低部の傾斜を可能とするような構造となっている。底部２とアッパー３とが比較的柔軟にしてあるのはこの理由からである。
【００２１】
しかしながら、スノーボードの操縦に当たってそのスタイルや実施を容易にしたりするためには、靴をより硬く作るようにしてもよい。
【００２２】
アッパー３は、とりわけ側方腰革１３、内方腰革１４、および小舌状部材１５から成る外部カバー１２を含み、この小舌状部材は腰革１３と１４を互いに連結して外部カバー１２にその連続性を付与する。しかしながら、この小舌状部材を用いないようにすることもできる。この場合、腰革１３と１４は分離したままでも、あるいは重ね合わさった状態であってもよい。
【００２３】
緊縛手段は可逆的な仕方で、外部カバー１２を緊締するために設けられる。
【００２４】
該緊締手段は留め環２０、２１、２２、２３、２４、２５、２６を含み、これらの留め環は外部カバー１２の拘束を受け、また場合によっては、腰革１３、１４の接合点において、爪先部の付近で拘束を受ける。
【００２５】
留め環の或るもの（２１、２２、２５、２６）は長さが比較的長いが、他のもの（２０、２３、２４）は短い。長い方の留め環（２１、２２、２５、２６）は、各々が通路を設置した中実体に接続されている。各々の留め環は、例えばプラスチック材料で作られている。プラスチック材料としては、ナイロンあるいはポリアミドでもよい。短い方の留め環自体は、各々がバックルの形状に作られる。このバックル状の留め環は、折り畳んだ帯状部材の断片を用いて作ってもよい。摩擦係数の小さな補強部品をバックル内に配設してもよい。
【００２６】
もちろん、上記以外の他の構造の留め環を案出してもよい。
【００２７】
さらに、第一の緊締手段は、留め環で目印を付けた経路をたどる紐部材３０を含む。この紐部材３０は、例えば、側方腰革１３の留め環と内方腰革１４の留め環を、アッパー３の底部分１０においても、また高部分１１においても交互に貫通する。もちろん、この紐部材３０のためには他の行程を考えても良かろう。
【００２８】
本考案について上に記載した実施態様によれば、引張部材３０を側方線条部分３１および内方線条部分３２に対し引張力を掛けるように配設される。これら２の線条部分３１、３２は結び合わされてバックル３３を形成する。紐部材３０を引張状態にするにはバックルを引っ張るだけで十分である。続いて、側方腰革１３と内方腰革１４が相互に接近することにより、外部覆い１２の緊縛が起こる。
【００２９】
もちろん、各線条部分３１、３２が自由状態にあるよう、交互に設けておいてもよい。この場合、線条部分３１と３２の各々に対して引っ張りを掛けることが必要である。
【００３０】
紐部材３０を引張状態にしたのち、外部覆い１２の緊縛状態を維持するためには、可逆的固定装置３３を設けるようにする。この可逆的固定装置３３は紐部材３０の２の線条部分３１、３２に作用する。しかしながら、別のやり方として、該可逆的固定装置３３が単一の線条部分３１または３２に作用するようにするか、あるいは線条部分により固定装置とするようにしてもよい。
【００３１】
該可逆的固定装置３３は小舌状部材１５に固定されるが、それ以外の所に固定してもよい。
【００３２】
一例として、該可逆的固定装置３３は、とりわけ固定部材用の回転軸を含み、また同じく、中空の本体３４をふくむ。この中空本体の凹所は、一方では、紐部材の各線条部分のために少なくとも１の通過用経路を画定し、また他方では、固定部材用の受け溝を画定する。該固定部材は円形をしており、該固定部材に対してほぼ平行な平面内で、それ自体可動な軸を中心として回動自在である。この固定装置は、装置の停止効果により各紐部材の線条部分を固定するため、各通路と共に該固定部材と共働することによって作用する。制御部材３５が、固定部材の回転軸を付勢可能にして、紐部材の線条部分（１または複数本）を固定方向あるいは固定解除方向に移動させるようにする。
【００３３】
固定装置３３は、例えば米国特許第４，８０７，３３３号明細書から当業者に周知となっているので、その詳細は図示しない。
【００３４】
バックル３３の牽引を容易にするため、牽引用の取っ手４５が設けられる。この牽引用取っ手４５は紐部材３０（つまり、添付の図３を参照すると良く分かるように、２本の線条部分３１、３２の各々）に一体連結されている。
【００３５】
この取っ手４５は、第一端部４７と第二端部４８の間に延在する細長い本体４６から成る。該本体４６は比較的硬く、例えばポリエチレン、ポリウレタン、ポリアミド等のプラスチック材料で作られる。この本体４６は、把持を良好にするため、全体として湾曲状を成している。本体４６は、さらに、紐部材３１、３２の線条部分よりも大きな平均断面を有し、使用者の手に加わる圧力を低減する。紐部材３１、３２の線条部分を固定するには、両端４７、４８の箇所にある本体４６内に配置された２の通路４９、５０ならびに線条部分３１、３２上にそれぞれ設けた２の結節部５１、５２を利用する。もちろん、これらの紐部材の線条部分は通路４９、５０を貫通し、また結節部５１、５２は取っ手４５と線条部分５１、５２の相対的な分離を妨げる。したがって、線条部分５１、５２の結合は、本体４６を会して行われるので、その結合は間接的なものとなる。しかしながら、交互に直接的な結合とするようにしてもよい。
【００３６】
本考案の第一の実施態様によれば、靴１は、さらにアッパー３に対する取っ手４５の取り外し可能な一体連結装置５３を含む。これにより、靴は、歩行中に、あるいはスポーツ用具の操作中に、アッパー（胴部）に対して取っ手を保持する。
【００３７】
本考案によれば、収納装置５３は、固定装置３３と取っ手４５の間に延在する線条部分３１、３２の一部を収納可能にする。この収納は、固定装置３３と取っ手４５の間に位置する紐部材３１、３２の線条部分が緩むのを回避するためのものである。換言すれば、紐部材の線条部分３１、３２と靴１のアッパー３との間に、空間ができないように回避するか、あるいは、少なくとも顕著な空間が生じないようにしなければならない。
【００３８】
先ず始めに、雄−雌の可逆嵌合の原理によって一体連結を行う。
【００３９】
やはり、図３を参照することにより明らかなように、一体連結装置５３の雄部材６０は、取っ手４５を補完するため本体４６に固定される。この雄部材６０は、足部６２と頭部６３から成る小棒部材６１を有する。足部６２は小棒部材６１を本体４６に接続し、頭部６３は該小棒部材６１の拡大した自由端を画定する。
【００４０】
足部６２と頭部６３は各々、正方形に近い断面を有し、それらの面は凸状をしている。
【００４１】
この小棒部材６１は取っ手４５の本体４６の凹面６４に対して突出しており、また通路４９、５０間のほぼ中途位置にある。
【００４２】
小棒部材６１と本体４６は単一成形体を形成するが、何らか適宜な手段により、交互に一方を他方に固定するようにしてもよい。
【００４３】
特に図２と図４から明らかなように、取っ手４５を受け入れるため、アッパー３は雌部材７０を備えている。この取り外し可能な一体連結装置５３の雌部材７０は、周囲を肩部７２によって延長させた周囲部を有する本体７１を含む。この本体７１と肩部７２は単一成形体を形成するが、別の方法として、両者を適宜な手段によって互いに連結させるようにしてもよかろう。雌部材７０は、例えば、プラスチック材料、あるいはゴムなどの弾性材料で作られる。
【００４４】
本体７１は開放凹部７３を画成する。この開放凹部７３は、小棒部材６１の少なくとも一部分を受け入れるためのチャンバ−７４、ならびに該チャンバー７４に該小棒部材６１を接近させるための入口７５を含む。この入口７５はチャンバー７４の断面よりも小さな断面を有する。これら入口７５とチャンバー７４のそれぞれの断面は、足部６２と小棒部材６１の頭部６３の断面に対して補完的な形状をしている。場合によっては、入口７５とチャンバー７４の断面は、各々正方形に類似し、その面は凹形である。
【００４５】
後でより良く分かるように、入口７５の断面歯小棒部材６１の足部６２の断面とほぼ同じである。
【００４６】
この雌部材７０は、肩部７２の箇所にあるアッパー３上に保持されている。この肩部は７２は、例えば、縫い目７７として図示されている手段により、カバー７６に一体連結される。もちろん、これ以外の手段を用いても良かろう。このカバー７６自体は、貼着、縫い取り等、何らか適宜な手段によりアッパー３に固定される。このカバー７６はプラスチック材、さらには又、皮や織布などの柔軟な材料で製作してもよい。
【００４７】
取っ手４５をアッパー３に一体連結するには、雌部材７０に雄部材６０を挿入して行う。より詳細に述べるならば、頭部６３がチャンバー７４内にあるように、該小棒部材６１を入口７５に通す。このためには、単に小棒部材を手で押し込むだけで十分である。この入口７５は、頭部６３が凹部７３内に入り込むとき、その通過ごとに変形し、頭部６３が通過した後最初の形状を取り戻す。
【００４８】
もちろん、取っ手４５とアッパー３の分離は同じ原理によって行われる。つまり、単に取っ手４５に対して手動による牽引力を行使するだけで十分である。頭部６３が凹部７３から退出する場合、入口７５は頭部６３が通過するたびごとに可逆的に変形して頭部６３の通過後に初期の形状を回復する。
【００４９】
図１、図５、および図６からより良く理解できるように、取り外し可能は一体連結装置５３はアッパー３の所定箇所に取っ手４５を一体連結することができる。場合によっては、この箇所はアッパー３の高部分１１内で側方６の箇所に位置する。ここから生じる利点は、使用者によるその箇所への到達可能性（アクセス）が良好になるということである。
【００５０】
また、別案として、他の箇所を案出することもできよう。
【００５１】
ところで、紐部材３０の線条部分３１、３２を収納することに関しては、ここでは、巻き付けの原理を利用することになる。この精神において、また、単純化という配慮において、取り外し可能な一体連結装置５３と収納装置とは混同してしまう。以上に記載した実施態様によれば、取り外し可能な一体連結装置と収納装置とは同一の装置である。
【００５２】
小棒部材６１の凸面と開放凹部７３の凹面のゆえに、アッパー（胴部）３に対して取っ手４５を回動させることができる。もちろん、この回動は小棒部材６１によって構成される軸に沿って生じる。
【００５３】
図５から分かるように、緊縛を行ったのち、アッパー３は取っ手４５を該アッパー３に対して回転させることなしに一体化することができ、紐部材３０の線条部分３１、３２は弛緩する。線条部分３１、３２は固定装置３３と一体連結装置５３との間でぶら下がることになる。この場合、外側部材は、場合により、アッパー３と線条部分３１、３２の間を通過することがある。
【００５４】
反対に、図６から分かるように、取っ手４５が十分に回動した場合、線条部分３１、３２はほとんど緩まないか、あるいは全く緩まない。該線条部分３１、３２は固定装置３３と一体連結装置５３との間で引っ張られた状態にある。この場合、外側部材がアッパー３と線条部分３１、３２の間に入り込むことは極めて困難であるか、不可能ですらある。その結果、スポーツ用具の操縦が妨げられることはない。
【００５５】
回転後、取っ手４５の位置は安定状態にある。この状態は小棒部材６１と凹部７３がそれぞれ有する形状による。凹面と凸面が回転可能な状態にある場合、これら両面はまた、回転を妨げる一連の交点を決定する。その結果、取っ手４５はぶつかり合いながら（coup par coup）回る。これにより、硬点と同じだけの安定位置を得ることが可能になる。そのことから生じる利点は、線条部分３１の張力を調節することが容易になるということである。
【００５６】
それらが整頓されると、線条部分３１、３２は、雄部材６０と雌部材７０の回りに（つまり、小棒部材６１と本体７１の回りに）巻き付けられる。該線条部分３１、３２は、取っ手４５の本体４６とアッパー３の間に巻き付けられる。この状況は、やはり目に見えるものであり、巻取り状況を可視的に制御できるという利点がある。
【００５７】
一般的な方法で、本考案は当業者に公知となっている材料を用いて、また実施技術によって実現することができる。
【００５８】
もちろん、本考案は以上に記載した実施態様に限定されるものではなく、実用新案登録請求の範囲に入る技術的な均等物を包含するものである。
【００５９】
特に、取り外し可能な一体連結装置の異雄部材６０が取っ手４５上にある場合、該装置を選択的にアッパー（靴胴部）３上に配置させてもよかろう。当然の帰結として雌部材７０がアッパー３上にある場合、該部材は選択的に取っ手４５上に位置することになろう。
【００６０】
また、単一の紐部材の線条部分を収納することを案出しても良く、あるいはまた、複数本の紐部材を使用する場合には、紐部材の２以上の線条部分を収納することを考えても良かろう。
【００６１】
取り外し可能な一体連結装置のために、その他の構造のものを案出しても良かろう。例えば、差し込み式のシステムを含む装置を案出しても良かろう。
【００６２】
更に、紐部材の線条部分の収納を巻取り以外の他の方法、例えば、凹所内で折り畳むことによって行ってもよかろう。
【図面の簡単な説明】
【００６３】
【図１】本考案において記載した実施形態による、取っ手をアッパー（靴胴部）に一体連結させない場合を示す靴の前方斜視図。
【図２】取っ手をアッパーに一体連結する装置の一部分を示す、図１の部分拡大図。
【図３】図１に示す靴の取っ手の斜視図。
【図４】アッパーに取っ手を一体連結した状態を示す断面図。
【図５】取っ手がアッパーに一体連結され、また、固定装置と取っ手との間に延在する紐部材の線条部分が収納去れていない場合を示す、図１と同様の図。
【図６】紐部材の線条部分ガ収納されている場合を示す、図５と同様の図。
【符号の説明】
【００６４】
１：スポーツ靴
２：靴底
３：アッパー（靴胴部）
６：側方
１１：高部分
１５：小舌状部
２０、２１、２２、２３、２４、２５、２６：留め環
３０：紐部材  
３１、３２：（紐部材の）線条部分
３３：固定装置（締め金−バックル）
３５：制御部材）
４５：牽引用の取っ手
４６：細長本体
４７：第一端部
４８：第二端部
４９、５０：通路
５１、５２：結節点（結び目）−  線条部分の接合点
５３：取り外し可能な一体連結装置通路
６０：雄部材
６１：小棒部材
６３：頭部
７０：雌部材
７１：ボディ
７２：肩部
７３：開放凹部
７４：チャンバー
７５：入口
７６：ふた
７７：縫い目
【図１】
0003120861.tif 000003
【図２】
0003120861.tif 000004
【図３】
0003120861.tif 000005
【図４】
0003120861.tif 000006
【図５】
0003120861.tif 000007
【図６】
0003120861.tif 000008